(57)【要約】【課題】画像表示装置において、画像情報の利用効率を高めるように、この画像情報を表示させる。【解決手段】予め定められた順番に並べられて編集された多数の画像情報のうちの画像情報Ｇ１、Ｇ２、Ｇ３、Ｇ４、Ｇ５を、表示制御手段１０により表示画面４１中の５つのウィンドウＡ、Ｂ、Ｃ、Ｄ、Ｅに上記順番で表示させる。指定手段２０により、表示画面４１中の特定の４つのウインドウＡ、Ｂ、Ｃ、ＤのうちのウインドウＡを画像情報の順送り表示を禁止する固定ウインドウとして指定し、その後、表示制御手段１０が、固定ウインドウに指定されなかったウインドウＢ、Ｃ、Ｄ、Ｅにのみ画像情報を順送り表示させる。【選択図】　　　　　図１
2004145708.tif 000002
【特許請求の範囲】
【請求項１】
予め定められた順番に並べられて編集された多数の画像情報を表示画面中の複数のウィンドウに前記順番で順送り表示させる表示制御手段と、前記表示画面中の複数のウインドウのうちの任意のウインドウを前記画像情報の順送り表示を禁止する固定ウインドウとして指定可能な指定手段とを備え、前記表示制御手段が、前記固定ウインドウに指定されなかったウインドウにのみ前記画像情報を順送り表示させることを特徴とする画像表示装置。
【請求項２】
予め定められた順番に並べられて編集された多数の画像情報を表示画面中の複数のウィンドウに表示させる表示制御手段と、前記表示画面中の複数のウインドウのうちの任意のウインドウを前記画像情報の順送り表示を行なう順送りウインドウとして指定可能な指定手段とを備え、前記表示制御手段が、前記順送りウインドウに指定されたウインドウにのみ前記画像情報を前記順番で順送り表示させることを特徴とする画像表示装置。
【発明の詳細な説明】
【０００１】
【発明の属する技術分野】
本発明は、画像表示装置に関し、詳しくは、複数のウィンドウに画像情報を順送り表示させる画像表示装置に関するものである。
【０００２】
【従来の技術】
従来より、表示画面上に表示された複数のウィンドウに対して、画像情報を順送りに表示する順送りウィンドウと、画像情報の順送り表示を行なわない固定ウィンドウとを設定し、予め定められた順番に並べられて編集された画像情報を表示させる画像表示装置が知られており、例えば、先に入力した第１の入力情報を主表示領域に表示し、続いて入力した第２の入力情報を副表示領域にスクロール表示する、主表示領域を十分広くし副表示領域を数行とした画像表示装置も知られている（例えば、特許文献１参照）。
【０００３】
【特許文献１】
特開平１０−２７０８５号公報
【０００４】
【発明が解決しようとする課題】
ところで、例えば、部品の検査に上記手法を利用し、表示画面上の固定ウィンドウに検査基準となる標準部品の画像を表示させ、順送りウィンドウに多数の検査対象部品の画像を順送り表示させて部品の検査を行なうような場合には、順送り表示される検査対象部品の画像の中に検査基準として参照したい画像（例えば、特定の欠陥を有し合否の界にある部品の画像等）が存在し、このような画像を上記標準部品の画像とともに、あるいはこの標準部品の画像の代わりに画像上に表示させたままにしておきたい場合がある。そのため、表示画面中の任意のウィンドウを固定ウィンドウに指定したり、あるいは任意の固定ウィンドウに対して固定ウィンドウの指定を解除できるようにして、部品を効率良く検査したいという要請がある。
【０００５】
本発明は上記事情に鑑みてなされたものであり、画像情報の利用効率を高めるように、この画像情報を表示させることができる画像表示装置を提供することを目的とするものである。
【０００６】
【課題を解決するための手段】
本発明の第１の画像表示装置は、予め定められた順番に並べられて編集された多数の画像情報を表示画面中の複数のウィンドウに前記順番で順送り表示させる表示制御手段と、表示画面中の複数のウインドウのうちの任意のウインドウを画像情報の順送り表示を禁止する固定ウインドウとして指定可能な指定手段とを備え、表示制御手段が、固定ウインドウに指定されなかったウインドウにのみ前記画像情報を順送り表示させることを特徴とするものである。
【０００７】
前記固定ウインドウとして指定可能な表示画面中の複数のウインドウは、予め定められた順番に並べられて編集された多数の画像情報を表示する表示画面中の複数のウィンドウのうちの一部であってもよいし、全部であってもよい。
【０００８】
前記画像表示装置は、前記編集された多数の画像情報を最初に表示画面中のウインドウに表示させる際に、これらの画像情報の始めの一部分を、予め固定ウィンドウに指定されているウィンドウを含む表示画面中の全てのウィンドウに一旦表示させ、その後、固定ウインドウに指定されなかったウインドウにのみ画像情報を順送り表示させるものである。なお、順送り表示が開始された後に固定ウィンドウに指定されたウィンドウは、固定ウィンドウの指定が解除されるまでこのウィンドウに表示されていた画像の表示を継続する。
【０００９】
本発明の第２の画像表示装置は、予め定められた順番に並べられて編集された多数の画像情報を表示画面中の複数のウィンドウに表示させる表示制御手段と、表示画面中の複数のウインドウのうちの任意のウインドウを画像情報の順送り表示を行なう順送りウインドウとして指定可能な指定手段とを備え、表示制御手段が、順送りウインドウに指定されたウインドウにのみ前記画像情報を前記順番で順送り表示させることを特徴とするものである。
【００１０】
前記順送りウインドウとして指定可能な表示画面中の複数のウインドウは、予め定められた順番に並べられて編集された多数の画像情報を表示する表示画面中の複数のウィンドウのうちの一部であってもよいし、全部であってもよい。
【００１１】
前記画像表示装置は、前記編集された多数の画像情報を最初に表示画面中のウインドウに表示させる際に、これらの画像情報の始めの一部分を、順送りウインドウに指定されていないウィンドウを含む表示画面中の全てのウィンドウに一旦表示させ、その後、順送りウインドウに指定されたウインドウにのみ画像情報を前記順番で順送り表示させるものである。なお、順送り表示が開始された後に順送りウインドウの指定が解除されたウインドウは、順送りウインドウに再び指定されるまでこのウィンドウに表示されていた画像の表示を継続する。
【００１２】
なお、表示画面中の複数のウインドウのうちの任意のウインドウを順送りウインドウに指定するとは、実質的に、上記表示画面中の複数のウインドウのうちの順送りウインドウに指定されなかったウィンドウを、画像情報の順送り表示を禁止する固定ウインドウに指定することを意味する。
【００１３】
ここで、前記予め定められた順番としては、例えば、画像情報の入力順、画像情報の付帯情報に基づくソート順、画像情報の付帯情報が持つＩＤ番号順、あるいは画像情報の付帯情報が持つ日付順等を適用することができる。
【００１４】
【発明の効果】
本発明の第１の画像表示装置によれば、予め定められた順番に並べられて編集された多数の画像情報を表示画面中の複数のウィンドウに上記順番で順送り表示させる表示制御手段と、表示画面中の複数のウインドウのうちの任意のウインドウを画像情報の順送り表示を禁止する固定ウインドウとして指定可能な指定手段とを備え、表示制御手段が、固定ウインドウに指定されなかったウインドウにのみ画像情報を順送り表示させるようにしたので、例えば、表示画面中の各ウィンドウに表示された画像情報を観察した結果に基づいて、参照画像情報として表示させておきたい画像が表示されているウィンドウを固定ウィンドウに指定したり、不用となった画像情報が表示されている固定ウィンドウに対して固定ウィンドウとしての指定を解除したりすることができ、画像情報を順送り表示させる際の画像情報の表示の自由度を拡大することができるので、画像情報の利用効率を高めるように、この画像情報を表示させることができる。
【００１５】
本発明の第２の画像表示装置によれば、予め定められた順番に並べられて編集された多数の画像情報を表示画面中の複数のウィンドウに表示させる表示制御手段と、表示画面中の複数のウインドウのうちの任意のウインドウを画像情報の順送り表示を行なう順送りウインドウとして指定可能な指定手段とを備え、表示制御手段が、順送りウインドウに指定されたウインドウにのみ画像情報を上記順番で順送り表示させるようにしたので、例えば、表示画面中の各ウィンドウに表示された画像情報を観察した結果に基づいて、参照画像情報として表示させておきたい順送りウィンドウに対して順送りウィンドウの指定を解除して画像情報を表示させたままにしたり、不用となった画像情報が表示せれているウィンドウを順送りウィンドウに指定してこのウィンドウに画像情報が順送り表示されるようにすることができ、すなわち、実質的に上記第１の画像表示装置において固定ウィンドウを指定する場合と同様の動作を実行することができ、上記と同様に、画像情報を順送り表示させる際の画像情報の表示の自由度を拡大することができるので、画像情報の利用効率を高めるように、この画像情報を表示させることができる。
【００１６】
【発明の実施の形態】
以下、本発明の第１の実施の形態の画像表示装置について、図面を用いて説明する。図１は本発明の第１の実施の形態の画像表示装置の概略構成を示すブロック図、図２は表示画面中の各ウィンドウに表示され順送りされるそれぞれの画像情報を示す図である。
【００１７】
第１の実施の形態の画像表示装置１００は、予め定められた順番に並べられて編集された多数の画像情報Ｇ１、Ｇ２、Ｇ３、…を入力し記憶する記憶手段５０と、記憶手段５０から入力した画像情報Ｇ１、Ｇ２、Ｇ３、…を表示画面４１中の５つのウィンドウＡ、Ｂ、Ｃ、Ｄ、Ｅに上記順番で順送り表示させる表示制御手段１０と、表示画面４１中の特定の３つのウインドウＡ、Ｂ、Ｃのうちの任意のウインドウを固定ウインドウとして指定可能な指定手段２０とを備え、表示制御手段１０が、上記固定ウインドウに指定されなかったウインドウにのみ画像情報を順送り表示させるものである。
【００１８】
なお、上記特定のウインドウＡ、Ｂ、Ｃは、指定手段２０によって上記順送り表示を禁止する指定が可能なウィンドウである。また、ウィンドウＤ、Ｅは、指定手段２０によって上記順送り表示を禁止する指定が可能なウィンドウではなく、これらのウィンドウＤ、Ｅには画像情報が順送り表示される。
【００１９】
また、この画像表示装置１００は、表示画面４１中のウインドウに画像情報を最初に表示させるときには、固定ウィンドウを含めた表示画面中の全てのウィンドウであるウィンドウＡ、Ｂ、Ｃ、Ｄ、Ｅに画像情報を表示させた後、上記順送り表示を行なうものである。
【００２０】
なお、表示画面４１中のウインドウはどのように配置されたものであってもよく、縦方向に並べられたり、横方向に並べられたり、あるいは縦横方向にマトリクス状に並べられたものであってもよい。さらに、各ウィンドウの大きさは同じでもよいし、互いに異なる大きさであってもよい。
【００２１】
次に上記実施の形態における作用について説明する。
【００２２】
表示制御手段１０が、予め定められた順番に並べられて編集された多数の画像情報Ｇ１、Ｇ２、Ｇ３、…を記憶手段５０から入力し、これらの画像情報Ｇ１、Ｇ２、Ｇ３、…を、表示画面４１中の複数のウィンドウＡ、Ｂ、Ｃ、Ｄ、Ｅに上記順番で表示させる。ここでは、ウィンドウＡに画像情報Ｇ１、ウィンドウＢに画像情報Ｇ２、ウィンドウＣに画像情報Ｇ３、ウィンドウＤに画像情報Ｇ４、ウィンドウＥに画像情報Ｇ５が表示される。
【００２３】
次に、指定手段２０により、表示画面４１中の特定のウインドウＡ、Ｂ、Ｃのうちの任意のウインドウであるウインドウＡを固定ウインドウとして指定する。この指定により、表示画面４１上のウインドウＡの枠が太枠となり強調表示される（図２（ａ）参照）。
【００２４】
次に、表示制御手段１０が画像情報を順送りする。図２（ｂ）に示すように、１回目の順送りにより、ウィンドウＢに画像情報Ｇ３、ウィンドウＣに画像情報Ｇ４、ウィンドウＤに画像情報Ｇ５、ウィンドウＥに画像情報Ｇ６が表示され、固定ウィンドウに指定されたウィンドウＡには画像情報Ｇ１が表示されたままとなる。さらに、２回目の順送りが行なわれると、図２（ｃ）に示すように、ウィンドウＢに画像情報Ｇ４、ウィンドウＣに画像情報Ｇ５、ウィンドウＤに画像情報Ｇ６、ウィンドウＥに画像情報Ｇ７が表示され、固定ウィンドウに指定されたウィンドウＡには画像情報Ｇ１が表示されたままとなる。
【００２５】
ここで、画像情報Ｇ１が不用となり、ウィンドウＡに対する固定ウィンドウの指定を解除して３回目の順送りを行なう。図２（ｄ）に示すように、３回目の順送りによって、ウィンドウＢに画像情報Ｇ５、ウィンドウＣに画像情報Ｇ６、ウィンドウＤに画像情報Ｇ７、ウィンドウＥに画像情報Ｇ８が表示され、固定ウィンドウの指定が解除されたウィンドウＡに画像情報Ｇ４が表示される。
【００２６】
ここで、画像情報Ｇ４と画像情報Ｇ５を表示させたままにしておきたいときには、ウィンドウＡとウィンドウＢとを固定ウィンドウに指定して４回目の順送りを行なう。図２（ｅ）に示すように、４回目の順送りによって、ウィンドウＣに画像情報Ｇ７、ウィンドウＤに画像情報Ｇ８、ウィンドウＥに画像情報Ｇ９が表示され、固定ウィンドウに指定されたウィンドウＡおよびウィンドウＢにはそれぞれ画像情報Ｇ４および画像情報Ｇ５が表示されたまま残る。
【００２７】
上記のように、第１の実施の形態によれば、画像情報を表示する自由度を拡大することができ、効率良く画像情報を表示させることができる。
【００２８】
なお、上記画像情報のそれぞれが、順送りされる画像情報であるか否かを示す付帯情報を有するものであり、上記指定手段が、上記画像情報の付帯情報を読み取って、この付帯情報が上記画像情報が順送りされるものではないことを示す付帯情報を備えている場合には、この画像情報が表示される所定のウィンドウを固定ウインドウとして指定し、この付帯情報が上記画像情報が順送りされる画像情報であることを示す付帯情報を備えている場合には、この画像情報が表示される所定のウィンドウを固定ウインドウに指定するものであり、表示制御手段が、上記固定ウインドウに指定されなかったウインドウにのみ画像情報を順送り表示させるようにしてもよい。
【００２９】
次に、本発明の第２の実施の形態について説明する。図３は本発明の第２の実施の形態の画像表示装置の概略構成を示すブロック図、図４は表示画面中の各ウィンドウに表示され順送りされる各画像情報を示す図である。
【００３０】
本発明の第２の実施の形態の画像表示装置は、第１の実施の形態の画像表示装置と概略同様の構成からなるものであり、指定手段を、ウィンドウを固定ウィンドウとして指定可能なものとする代わりに、ウィンドウを順送りウインドウとして指定可能なものとした装置である。
【００３１】
第２の実施の形態の画像表示装置２００は、予め定められた順番に並べられて編集された多数の画像情報Ｇ１、Ｇ２、Ｇ３、…を記憶する記憶手段５５と、記憶手段５５から上記順番で入力した画像情報Ｇ１、Ｇ２、Ｇ３、…を表示画面４６中の５つのウィンドウＡ、Ｂ、Ｃ、Ｄ、Ｅに上記順番で順送り表示させる表示制御手段１５と、表示画面４６中の特定の４つのウインドウＢ、Ｃ、Ｄ、Ｅのうちの任意のウインドウを画像情報の順送り表示を行なう順送りウインドウとして指定可能な指定手段２５とを備え、表示制御手段１５が、上記順送りウインドウに指定されたウインドウにのみ画像情報を順送り表示させるものである。
【００３２】
なお、特定のウインドウＢ、Ｃ、Ｄ、Ｅは、指定手段２５によって上記順送り表示の指定が可能なウィンドウである。また、ウインドウＡは、指定手段２５によって上記順送り表示の指定が可能なウィンドウではなく、このウインドウＥには画像情報が順送り表示されない。
【００３３】
また、この画像表示装置２００は、順番に並べられた画像情報を表示画面４６中のウインドウに最初に表示させるときには、順送りウィンドウに指定されていないウィンドウを含めた表示画面中の全てのウィンドウであるウィンドウＡ、Ｂ、Ｃ、Ｄ、Ｅに画像情報を表示させた後、順送り表示を行なうものである。
【００３４】
また、表示画面４６中のウインドウはどのように配置してもよく、縦方向に並べたり、横方向に並べたり、あるいは縦横方向にマトリクス状に並べてもよい。さらに、各ウィンドウの大きさは同じでもよいし、互いに異なる大きさであってもよい。
【００３５】
次に上記実施の形態における作用について説明する。
【００３６】
表示制御手段１５が、予め定められた順番に並べられて編集された多数の画像情報Ｇ１、Ｇ２、Ｇ３、…を、記憶手段５５から入力し、画像情報Ｇ１、Ｇ２、Ｇ３、…を表示画面４６中の複数のウィンドウＡ、Ｂ、Ｃ、Ｄ、Ｅに上記順番で表示させる。ここでは、ウィンドウＡに画像情報Ｇ１、ウィンドウＢに画像情報Ｇ２、ウィンドウＣに画像情報Ｇ３、ウィンドウＤに画像情報Ｇ４、ウィンドウＥに画像情報Ｇ５が表示される。
【００３７】
次に、指定手段２５により、表示画面４６中の特定のウインドウＢ、Ｃ、Ｄ、Ｅのうちの任意のウインドウであるウインドウＣ、Ｄ、Ｅを順送りウインドウとして指定する。なお、ウィンドウＡは、指定手段２０による順送りウインドウとしての指定が可能ではないウィンドウなので、画像情報の順送り表示が禁止された固定ウィンドウとなり、また、指定手段２５により順送りウインドウとしての指定が可能であるが順送りウインドウとして指定されなかったウインドウＢも実質的に、固定ウィンドウとなる。なお、表示画面４６上には、順送りウインドウではないウィンドウ、すなわち実質的に固定ウィンドウとなるウィンドウの外枠が太線で強調表示して示される（図４（ａ）参照）。
【００３８】
次に、表示制御手段１５が画像情報を順送りする。図４（ｂ）に示すように、１回目の順送りによって、ウィンドウＣに画像情報Ｇ４、ウィンドウＤに画像情報Ｇ５、ウィンドウＥに画像情報Ｇ６が表示され、ウィンドウＡには画像情報Ｇ１が表示されたままとなり、ウィンドウＥには画像情報Ｇ５が表示されたままとなる。
【００３９】
２回目の順送りによって、図４（ｃ）に示すように、ウィンドウＣに画像情報Ｇ５、ウィンドウＤに画像情報Ｇ６、ウィンドウＥに画像情報Ｇ７が表示され、ウィンドウＡには画像情報Ｇ１が表示されたままとなり、ウィンドウＢには画像情報Ｇ２が表示されたままとなる。
【００４０】
ここで、画像情報Ｇ２が不用となり、ウィンドウＢを順送りウィンドウに指定して３回目の順送りを行なう。図４（ｄ）に示すように、３回目の順送りによって、ウィンドウＢに画像情報Ｇ５、ウィンドウＣに画像情報Ｇ６、ウィンドウＤに画像情報Ｇ７、ウィンドウＥには画像情報Ｇ８が表示され、ウィンドウＡには画像情報Ｇ１が表示されたままとなる。
【００４１】
ここで、画像情報Ｇ４と画像情報Ｇ５を表示させたままにしておきたいときには、ウィンドウＢおよびウィンドウＣに対する順送りウィンドウの指定を解除して４回目の順送りを行なう。図４（ｅ）に示すように、４回目の順送りによって、ウィンドウＤに画像情報Ｇ８、ウィンドウＥに画像情報Ｇ９が表示され、順送りウィンドウの指定を解除されたウィンドウＢおよびウィンドウＣにはそれぞれ画像情報Ｇ４および画像情報Ｇ５が表示されたまま残り、ウィンドウＡには画像情報Ｇ１が表示されたままとなる。
【００４２】
なお、ウィンドウＡを順送りウインドウとして利用する場合には、予め、ウィンドウＡが、指定手段２５によって順送りウインドウに指定可能なウィンドウとなるように設定しておけばよい。
【００４３】
なお、上記画像情報のそれぞれが、順送りされる画像情報であるか否かを示す付帯情報を有するものであり、上記指定手段が、上記画像情報の付帯情報を読み取って、この付帯情報が上記画像情報が順送りされることを示す付帯情報を備えている場合には、この画像情報が表示される所定のウィンドウを順送りウインドウとして指定し、この付帯情報が上記画像情報が順送りされる画像情報ではないことを示す付帯情報を備えている場合には、この画像情報が表示される所定のウィンドウを順送りウィンドウに指定しないものであり、表示制御手段が、上記順送りウインドウに指定されたウインドウにのみ画像情報を順送り表示させるようにしてもよい。
【００４４】
上記のように、第２の実施の形態によれば、上記第１の実施の形態において固定ウィンドウの指定を行なう場合と実質的に同様の動作を実行することができ、上記第１の実施の形態と同様に画像情報を表示する自由度を拡大して表示画面上に効率良く画像情報を表示させることができる。
【００４５】
なお、表示画面中の固定ウィンドウ、あるいは順送り表示されないウィンドウに画像情報を表示させる際には、この画像情報に含まれる文字を白黒反転表示させたり、画像情報に含まれる文字を強調表示させるようにしてもよい。
【００４６】
また、表示画面中の固定ウィンドウの枠、あるいは順送り表示されないウィンドウの枠は、濃淡を反転して表示させたり、強調表示させたりするようにしてもよい。
【図面の簡単な説明】
【図１】本発明の第１の実施の形態の画像表示装置の概略構成を示すブロック図
【図２】表示画面中の各ウィンドウに表示され順送りされるそれぞれの画像情報を示す図
【図３】本発明の第２の実施の形態の画像表示装置の概略構成を示すブロック図
【図４】表示画面中の各ウィンドウに表示され順送りされる各画像情報を示す図
【符号の説明】
１００　　画像表示装置
５０　　記憶手段
４１　　表示画面
１０　　表示制御手段
２０　　指定手段
【図１】
2004145708.tif 000003
【図２】
2004145708.tif 000004
【図３】
2004145708.tif 000005
【図４】
2004145708.tif 000006